(57)【要約】  本発明は、画像源（１）によって各１つのＲＧＢ線路対（７、８、９）を介してディジタルＲＧＢ映像信号（Ｒ、Ｇ、Ｂ）の供給と通信信号（ＳＤＡ）の供給とを受けることのできる画像再生システム（３）であって、画像再生システム（３）を作動させるのに必要なプログラマブルモジュール（２１）の構成データを格納したプログラム記憶装置（１８）を有するものに関する。画像再生システムの改良されたファームウェア更新を可能とする措置が提案される。  【選択図】図１
2010508595.tif 000002
【特許請求の範囲】
【請求項１】
画像源（１）によって各１つのＲＧＢ線路対（７、８、９）を介してディジタルＲＧＢ映像信号（Ｒ、Ｇ、Ｂ）の供給と通信信号（ＳＤＡ）の供給とを受けることのできる画像再生システムであって、画像再生システム（３）を作動させるのに必要なプログラマブルモジュール（２１）の構成データを格納したプログラム記憶装置（１８）を有するものにおいて、通信信号（ＳＤＡ）が構成データないしその変更データの伝送を指示し、これらのデータを画像源（１）がＲＧＢ線路対（７、８、９）の少なくとも１つの線路対（７）を介して画像再生システム（３）のデータ記憶装置（１６）内に伝送し、画像再生システム（３）が手段（１４）を備えており、該手段（１４）が伝送エラーを検出しない場合にのみ、データ記憶装置（１６）に格納されたデータをこの手段がプログラム記憶装置（１８）に書き込むことを特徴とする画像再生システム。
【請求項２】
前記手段（１４）がデータをプログラム記憶装置（１８）の一次記憶領域（１９）に書き込み、このプログラム記憶装置がさらに、エラーのないバックアップ構成データを格納したバックアップ記憶領域（２０）を有し、前記手段（１４）が前記一次記憶領域（１９）に格納されたデータないしプログラマブルモジュール（２１）の領域を点検し、かつエラーの場合にプログラマブルモジュール（２１）をバックアップ構成データでプログラミングすることを特徴とする請求項１記載の画像再生システム。
【請求項３】
手段（１４）が画像源（１）または他のユニットにエラーの場合を表示することを特徴とする請求項１記載の画像再生システム。
【請求項４】
画像再生システムがデータ切換器（１５）を備えており、画像源（１）が画像再生システム（３）に構成データないしその変更データの伝送を指示する場合、データ切換器（１５）がＲＧＢ線路対（７、８、９）の少なくとも１つの線路対（７）をデータ記憶装置（１６）と結合することを特徴とする請求項１ないし３のいずれか１つに記載の画像再生システム。
【発明の詳細な説明】
【技術分野】
【０００１】
本発明は、画像源によって各１つのＲＧＢ線路対を介してディジタルＲＧＢ映像信号の供給と通信信号の供給とを受けることのできる画像再生システムであって、画像再生システムを作動させるのに必要なプログラマブルモジュールの構成データを格納したプログラム記憶装置を有するものに関する。
【背景技術】
【０００２】
ディジタル画像再生システム、例えばＬＣＤディスプレイモジュールまたはＬＣＤテレビ受信機の態様の画像再生システムに関して、表示品質への要求はますます厳しくなる。これらの要求を満たすためにさまざまな補正もしくは調整、例えば画像再生特性の補正が必要であり、そのため大データ量が画像再生システムに伝送されねばならない。さらに、特に医療分野で利用する枠内で画像再生システムの信頼性および可用性に対する要求も真に厳しい。例えば、画像再生システムのいわゆるファームウェアが迅速かつエラーなしに最新状態にもたらされることが保証されねばならない（ファームウェア更新）。換言するなら、画像再生システムを作動させるのに必要な新規構成データもしくはその変更データを迅速かつエラーなしにシステムにロードできることが保証されねばならない。
【０００３】
データは普通例えば画像源、例えばパーソナルコンピュータのグラフィックカードの態様の画像源とＬＣＤディスプレイモジュールとの間でディジタル交換される。パーソナルコンピュータは特殊ないわゆるＤＶＩ（ディジタルビデオインタフェース）ケーブルを介してディジタルＲＧＢ映像信号をＬＣＤディスプレイモジュールに転送し、このケーブルは各ＲＧＢチャネル毎に１つの線路対を有する。さらにこのＤＶＩケーブルは、特にＤＶＩクロック信号を伝送しかついわゆるＤＤＣ（ディスプレイデータチャネル）データを伝送するために他の線路対を備えている。このＤＤＣ線路対はパーソナルコンピュータとＬＣＤディスプレイモジュールとの間でシリアル通信を可能とし、特にＬＣＤディスプレイモジュールの仕様書情報、例えばデータ伝送速度、ＬＣＤディスプレイの解像度または同期周波数に関する情報はデータ線路を介して転送され、ＤＤＣクロック信号はクロック線路を介して転送される。ＤＤＣ線路対は画像再生特性を適合させるためのデータをＬＣＤディスプレイモジュールに転送するのにもしばしば利用され、Ｉ２Ｃバス仕様書によればこのＤＤＣ線路対を介したデータ伝送速度は僅か１００ｋＢｉｔ／秒であり、これはデータ伝送が多くの時間を必要とすることを意味する。
【発明の概要】
【発明が解決しようとする課題】
【０００４】
本発明の課題は、ファームウェア更新を改良された冒頭に指摘した種類の画像再生システムを明示することである。
【課題を解決するための手段】
【０００５】
この課題は、請求項１の特徴部分に明示した措置によって解決される。
【０００６】
ファームウェア更新がシステムの動作に悪く作用しないことが有利である。さらに、それ自体公知の広く普及したＤＶＩケーブルを利用することができ、このケーブルは、構成データおよび／またはその変更データを高いデータ伝送速度で画像源から画像再生システムへと転送するために、基本的にディジタルＲＧＢ映像信号の伝送用に設けられている。付加的ケーブルは必要ない。
【０００７】
構成データおよび／またはその変更データをプログラム記憶装置に格納する前に、これらのデータはまず伝送エラーに関して点検される。伝送エラーが検出されなかった場合にはじめてデータはプログラム記憶装置に格納され、これによりファームウェア更新は終了する。更新されたファームウェアはシステム始動後の始動段階中にプログラマブルモジュールに、例えばそれ自体公知のＦＰＧＡモジュールにロードされる。
【０００８】
本発明の１構成においてプログラム記憶装置は、支障のない動作のために必要なテスト済み構成データを格納したバックアップ記憶領域を有する。伝送されたデータをプログラム記憶装置の一次記憶領域に記憶するときプログラマブルモジュール内でエラーまたはエラー領域が検知される場合、システム始動後にバックアップ記憶領域の内容はプログラマブルモジュールにロードされる。
【０００９】
本発明のその他の構成は他の従属請求項から明らかとなる。
【００１０】
本発明は以下、１実施例に基づいて図面の単一の図を参考に詳しく説明される。
【図面の簡単な説明】
【００１１】
【図１】構成データおよび／またはその変更データを伝送するための装置を簡略化して示す。
【発明を実施するための形態】
【００１２】
好適なグラフィックカードを有するパーソナルコンピュータ１の態様の画像源が、それ自体公知のＤＶＩケーブル２を介して、ＬＣＤディスプレイモジュール３の態様の画像再生システムと結合されている。ＤＶＩケーブル２が好適な接続手段４ａ、４ｂを有し、そのうち接続手段４ａはパーソナルコンピュータ１の接続手段５と、また接続手段４ｂはＬＣＤディスプレイモジュール３の接続手段６と電気的および機械的に作用結合されている。それ自体公知の差込接点もしくはこれに対応したソケットとして形成しておくことのできるこれらの接続手段４ａ、４ｂ、５、６を介して、またＤＶＩケーブル２を介して、パーソナルコンピュータ１とＬＣＤディスプレイモジュール３との間で情報が交換され、そのことが図面には破線と点線で示してある。
【００１３】
ＤＶＩケーブル２はディジタルＲＧＢ映像信号を伝送するための３つの線路対（チャネル）７、８、９を有し、さらに例えば１６５ＭＨｚの第１クロック周波数でＤＶＩクロック信号ＤＶＩ‐Ｃｌｏｃｋを伝送するための他の線路対１０を有する。ＤＶＩケーブル２はさらにＤＤＣ（ディスプレイデータチャネル）ディスプレイデータ線路１１とＤＤＣクロック線路１２とを備えており、映像動作モードのとき普通ＬＣＤディスプレイモジュールの仕様書情報ＳＤＡ、例えばＬＣＤディスプレイの解像度または同期周波数に関する情報はディスプレイデータ線路１１を介して転送され、１００ｋＨｚの第２クロック周波数を有するＤＤＣクロック信号ＳＣＬはクロック線路１２を介して転送される。
【００１４】
映像動作モードのとき普通‐既に述べたように‐仕様書データを伝送するための通信線路として設けられたディスプレイデータ線路１１と、この映像動作モードのとき普通ＲＧＢ映像信号を伝送するために設けられた線路対７、８、９は、以下に示すように構成データおよび／またはその変更データを伝送するのに利用される。このため通信動作モードが設定可能であり、この通信動作モードのときＲＧＢ線路対７、８、９の少なくとも１つの線路対７を介して大きなデータ量の伝送が予定されている。
【００１５】
簡略化のためこの実施例では、線路対７を介してのみデータが転送されると仮定される。本発明の実際的実施例においてデータはＲＧＢ映像チャネルのすべてを介して伝送され、これにより一層高いデータ伝送速度が達成される。パーソナルコンピュータ１で実行可能な、当然にグラフィック処理プログラムの構成要素であり得るデータ伝送プログラム１３は、ディスプレイデータ線路１１を介してマイクロコントローラ１４に対して、後続のデータ伝送サイクルでは映像動作モードでディジタルＲＧＢ映像信号が転送されるのでなく、通信動作モードで例えば構成データが線路対７を介して転送されることを指示する。この指示をマイクロコントローラ１４はデータ伝送プログラム１３に肯定応答し、かつ第１電子スイッチ１５を制御して、データ伝送サイクル中にパーソナルコンピュータ１から線路対７を介してＬＣＤディスプレイモジュール３に供給された構成データが電子映像装置（図示せず）に転送されるのでなく揮発性データ記憶装置１６に書き込まれるようにする。構成データが正しく伝送されたか否かを点検できるようにするために、構成データは数回伝送され、まず各伝送後にデータはデータ記憶装置１６の所定の領域に格納されるようになっている。データが例えば３回伝送される場合、３つの領域が設けられており、そのうち第１領域は第１伝送サイクルで伝送されたデータを格納し、第２領域は第２伝送サイクルで伝送されたデータを格納し、第３領域は第３伝送サイクルで伝送されたデータを格納するように指定されている。引き続きマイクロコントローラ１４は格納された構成データを例えばビット毎にまたはバイト毎に比較し、比較したデータが一致する場合にはじめてマイクロコントローラ１４は第２電子スイッチ１７を制御して、データ記憶装置１６の第１、第２または第３領域に書き込まれた構成データがプログラム記憶装置１８の一次記憶領域１９に書き込まれるようにする。こうしてプログラム記憶装置１８の一次記憶領域１９に書き込まれた構成データは次のシステム始動後にプログラマブルモジュール２１にロードされる。さらに、データ伝送エラーが確実に検知されることを保証するために、本来の構成データの他にチェックサムが伝送されるようになっており、所定数の伝送されるべきバイトがそれぞれチェックサムで保護されている。マイクロコントローラ１４によるこのチェックサムの点検がエラーを指摘しない場合にはじめて、データ記憶装置１６の領域に格納された構成データはプログラム記憶装置１８に転送される。
【００１６】
プログラム記憶装置１８に格納されたチェックサムはさらに、それ自体周知の如くに、記憶された構成データのエラーを点検するのに利用される。プログラム記憶装置１８の一次記憶領域１９に構成データを記憶するときのエラーに関して、マイクロコントローラ１４がエラーを検知する場合、マイクロコントローラ１４は制御可能な第３スイッチ２２を制御して、バックアップ記憶領域２０に格納されたバックアップ構成データがプログラマブルモジュール２１にロードされるようにする。このバックアップ構成データは支障のない動作を保証するテスト済み構成データを実現し、これによりＬＣＤディスプレイモジュール３の機能信頼性はプログラム記憶装置１８の一次記憶領域１９に構成データが間違って格納される場合でも維持される。パーソナルコンピュータ１によって伝送されてプログラム記憶装置１８に格納されるチェックサムの代わりに、マイクロコントローラ１４によって新たに算出したチェックサムをプログラム記憶装置１８に格納し、構成データの間違いのない記憶を点検するのにこのチェックサムを利用することがもちろん可能である。マイクロコントローラ１４はさらに、プログラマブルモジュール２１のセクタの間違ったセルを検知するように形成されている。システム始動中、マイクロコントローラ１４はプログラマブルモジュール２１にテストマトリックスをロードし、モジュール２１のセルを点検する。マイクロコントローラ１４がエラーを検出しない場合、マイクロコントローラはプログラム記憶装置１８の一次記憶領域１９に格納された構成データでモジュール２１をプログラミングする。しかしながらマイクロコントローラ１４がプログラマブルモジュール２１内にエラーを検知する場合、マイクロコントローラ１４はパーソナルコンピュータ１に接続された表示ユニットでエラー通知を表示するための信号をパーソナルコンピュータ１に転送する。
【符号の説明】
【００１７】
１  画像源
３  画像再生システム
７、８、９  線路対
１４  マイクロコントローラ
１５  データ切換器
１６  データ記憶装置
１８  プログラム記憶装置
１９  一次記憶領域
２０  バックアップ記憶領域
２１  モジュール
Ｂ、Ｇ、Ｒ  映像信号
ＳＤＡ  通信信号
【図１】
2010508595.tif 000003
【国際調査報告】
2010508595.tif 000004
2010508595.tif 000005
2010508595.tif 000006
2010508595.tif 000007